(57)【要約】【課題】車両用空調装置において、冷媒を用いた空調部の制御に対する影響を排除するとともに、この空調部で暖房を行いつつ除湿を行うことができるものとする。【解決手段】冷媒１６の循環の向きを、四方弁１５によって切り替えることで、車両の車室内を冷房する状態と暖房する状態とを切替え可能とされた空調部１０と、この空調部１０から独立した別系統の除湿部５０とを備え、除湿部５０は、エバポレータ１４に吹き付けられる空気Ａ２の流路のうち、エバポレータ１４よりも上流部分に配置されるクーラーコア５１（車室内第二熱交換器）と、車室外に配置される除湿用室外器５２（車室外第二熱交換器）と、除湿用室外器５２およびクーラーコア５１に、摂氏−２０度以下まで不凍の冷媒液５５を循環させる通路となる冷媒液配管５３と、冷媒液配管５３ａの通路上の一部に設けられて、冷媒液５５を循環させるポンプ５４とを有する。【選択図】図２
2010047087.tif 000002
【特許請求の範囲】
【請求項１】
車室外に配置される車室外第一熱交換器と、車室内に配置される車室内第一熱交換器と、冷媒ガスを圧縮する気体圧縮機と、前記冷媒ガスが液化した液状冷媒を減圧する膨張弁と、これら前記車室外第一熱交換器、前記車室内第一熱交換器、前記気体圧縮機および前記膨張弁に前記冷媒ガス乃至前記液状冷媒を循環させる通路となる配管と、前記車室内を冷房する状態と暖房する状態とで前記冷媒ガス乃至前記液状冷媒の循環の向きを切り替える切替器とを有する空調部、および
前記車室内第一熱交換器に吹き付けられる空気の流路のうち、前記車室内第一熱交換器よりも上流部分に配置される車室内第二熱交換器と、前記車室外に配置される車室外第二熱交換器と、前記車室外第二熱交換器および前記車室内第二熱交換器に、摂氏０度以下の所定温度まで不凍の冷媒液を循環させる通路となる冷媒液配管と、前記冷媒液配管の通路上の一部に設けられて、前記冷媒液を循環させるポンプとを有し、前記空調部から独立した別系統の除湿部、を備えたことを特徴とする車両用空調装置。
【請求項２】
前記車室外第二熱交換器は、前記車室外第一熱交換器に吹き付けられる空気の流路のうち、前記車室外第一熱交換器よりも上流部分に配置されることを特徴とする請求項１に記載の車両用空調装置。
【請求項３】
前記冷媒液は、摂氏−２０度以下の温度まで不凍に調整された、不凍液が混合された液体であることを特徴とする請求項１または２に記載の車両用空調装置。
【請求項４】
前記ポンプは、前記空調部が前記車室内を暖房する動作に切り替えられている状態で、かつ前記車室内の空気を循環する内気循環モードで動作されているときにのみ、前記冷媒液を循環させるように設定されていることを特徴とする請求項１から３のうちいずれか１項に記載の車両用空調装置。
【発明の詳細な説明】
【技術分野】
【０００１】
本発明は、車両用空調装置に関し、詳細には、冷媒ガスの循環向きを切り替えることで、冷房と暖房とを切替え可能とした車両用空調装置の改良に関する。
【背景技術】
【０００２】
車両用の空調装置は広く利用されているが、車両には駆動源となるエンジンが搭載されており、このエンジンを冷却した後の高温の冷却水は、暖房時の熱源として利用することができるため、車両用の空調装置は、住宅用の空調装置のような冷媒の循環向きを切り替えて冷房と暖房とを切り替える動作は行われない。
【０００３】
すなわち、住宅用の空調装置は、室外に配置される室外熱交換器と、室内に配置される室内熱交換器と、冷媒ガスを圧縮する気体圧縮機と、冷媒ガスが液化した液状冷媒を減圧する膨張弁と、これら室外熱交換器、室内熱交換器、気体圧縮機および膨張弁に冷媒ガス乃至液状冷媒を循環させる通路となる配管と、室内を冷房する状態と暖房するときとで冷媒ガス乃至液状冷媒の循環の向きを切り替える四方弁等の切替器とを有していて、四方弁による冷媒の循環向きの切替えで、冷房と暖房とを切り替えることができる。
【０００４】
一方、車両は、暖房用の熱源としてエンジンの冷却水を有しているため、暖房時は、その高温の冷却水を用いて車室内の空気を温めることができ、住宅用のように冷媒の循環向きを切り替える構成の敢えて採用することは行われてなかった。
【０００５】
しかし、近年、そもそもエンジン自体を備えない電気自動車や燃料電池車や、エンジンは備えているもののモータとの併用であるため従来のエンジンほどの熱を発生しないハイブリッド車などが実用化されつつあり、これらの車両では、エンジン冷却水を暖房の熱源として利用することはできない。
【０００６】
そこで、車両の空調装置においても、冷房（除湿を含む）だけでなく、住宅用の空調装置と同様に冷媒の循環向きを切り替えて暖房をも行うことが提案されている（特許文献１）。
【０００７】
上記特許文献１に開示されている技術によれば、冷媒の循環向きを反転させて、冷房時にはエバポレータとして機能していた車室内熱交換器を、コンデンサとして機能させることで、車室内の暖房を実現している。
【０００８】
しかし、そのように冷媒の循環向きを反転させて暖房を行う装置においては、車室内を除湿する機能を果たす構成要素（冷房時におけるエバポレータ）が存在しないため、車室内を閉め切っていると、乗員の呼気等によって車室の窓が曇るという問題がある。
【０００９】
特に、車室外の気温が低いため、車室内を内気循環モードで暖房運転を行っている場合には、その窓曇りの発生は顕著になり、しかも、その窓曇りを解消するためには、窓を開放し、または外気導入モードに切り替えて、車室内の湿度を低下させるか、冷媒の循環向きを一時的に反転させて、車室内を冷房・除湿する必要がある。
【００１０】
しかし、そもそも暖房を使用する状況下において、例え窓曇りを解消する目的で一時的ではあっても冷房や除湿を行うのは、乗員に負担を強いるものであり、また、外気導入によって曇りを解消しようとしても、トンネル内での渋滞時などでは、排気ガスが車室内に侵入することが懸念され、走行場所によっては、悪臭が漂っている場合もあり、いずれの場合も適切な対処ができない場合がある。
【００１１】
そこで、上述した車室内熱交換器とは別に、空気温度低下用熱交換器を車室内に備えた空調装置が提案されている（特許文献２）。
【００１２】
この提案技術によれば、空気温度低下用熱交換器が除湿を行うことで、内気循環モードの暖房時であっても、併せて除湿をおこなうことができる。
【特許文献１】特開平６−６０２４号公報
【特許文献２】特開２００３−２９１６３５号公報
【発明の開示】
【発明が解決しようとする課題】
【００１３】
しかし、上述した特許文献２に開示された技術は、従来の車両用空調装置における膨張弁で生成された低温低圧の液状冷媒を、暖房時に、空気温度低下用熱交換器に導いて、この空気温度低下用熱交換器で除湿を行う構成（段落番号［００７０］等、図１〜図１１）であるため、空気温度低下用熱交換器に流れる冷媒が通る配管を、元の車両用空調装置における冷媒用配管から分岐させたり、合流させる必要がある。
【００１４】
このため、この空気温度低下用熱交換器を含む除湿部を、既存の車両用空調装置（空調部）に後付けするのが困難であるとともに、この除湿部を含んだ車両用空調装置全体における冷媒の流量など変化するため、冷凍サイクルの効率、圧力設定および温度設定などの制御マッピングを、最初から設計し直す必要があり、また、最初からこの除湿部を含んだシステムにおいても、その制御が非常に複雑になる。
【００１５】
なお、上述した事情は、必ずしも、電気自動車や燃料電池車、あるいはハイブリッド車に限ったものではなく、従前のエンジンを搭載した一般的な車両に適用される車両用空調装置においても、車室内を冷房する状態（冷凍サイクル）と暖房する状態（ヒートポンプサイクル）とで冷媒ガス乃至液状冷媒の循環の向きを切り替える形式の車両用空調装置であれば、同様である。
【００１６】
本発明は上記事情に鑑みなされたものであって、冷媒を用いた空調部の制御に対する影響を排除するとともに、この空調部で暖房を行いつつ除湿を行うことができる車両用空調装置を提供することを目的とする。
【課題を解決するための手段】
【００１７】
本発明に係る車両用空調装置は、冷房および除湿と暖房とを切り替えて行う空調部の他に、この空調部とは別系統の除湿部を備えた構成により、空調部で暖房を行う場合にも、除湿部で除湿を行うことができるため、空調部の制御に対する影響を排除するとともに、除湿しながらの暖房を可能にしたものである。
【００１８】
すなわち、本発明に係る車両用空調装置は、車室外に配置される車室外第一熱交換器と、車室内に配置される車室内第一熱交換器と、冷媒ガスを圧縮する気体圧縮機と、前記冷媒ガスが液化した液状冷媒を減圧する膨張弁と、これら前記車室外第一熱交換器、前記車室内第一熱交換器、前記気体圧縮機および前記膨張弁に前記冷媒ガス乃至前記液状冷媒を循環させる通路となる配管と、前記車室内を冷房する状態と暖房する状態とで前記冷媒ガス乃至前記液状冷媒の循環の向きを切り替える切替器とを有する空調部、および、前記車室内第一熱交換器に吹き付けられる空気の流路のうち、前記車室内第一熱交換器よりも上流部分に配置される車室内第二熱交換器と、前記車室外に配置される車室外第二熱交換器と、前記車室外第二熱交換器および前記車室内第二熱交換器に、摂氏０度以下の所定温度まで不凍の冷媒液を循環させる通路となる冷媒液配管と、前記冷媒液配管の通路上の一部に設けられて、前記冷媒液を循環させるポンプとを有し、前記空調部から独立した別系統の除湿部、を備えたことを特徴とする。
【００１９】
このように構成された本発明に係る車両用空調装置は、車室内を冷房するときは、冷媒ガス乃至液状冷媒の循環の向きが、気体圧縮機→車室外第一熱交換器→膨張弁→車室内第一熱交換器→気体圧縮機の順となるように、空調部の切替器（例えば四方弁等。以下、同じ。）を切り替えればよく、一方、車室内を暖房するときは、冷媒ガス乃至液状冷媒の循環の向きが、気体圧縮機→車室内第一熱交換器→膨張弁→車室外第一熱交換器→気体圧縮機の順となるように、切替器を切り替えればよく、切替器をこのように切り替えることで、車室内を冷房または暖房に適宜切り替えることができる。
【００２０】
また、除湿部の、車室外に配置される車室外第二熱交換器で冷却された、摂氏０度以下の所定温度まで不凍の冷媒液は、冷媒液配管を通って、ポンプにより、車室内第一熱交換器よりも上流部分に配置される車室内第二熱交換器に流入し、この車室内第二熱交換器に吹き付ける空気との間で熱交換が行われて、この空気を冷やすとともに除湿する。
【００２１】
この結果、空調部で暖房を行う場合にも、車室内第二熱交換器で除湿された空気を車室内第一熱交換器で暖めることができ、暖房しながらの除湿を実現することができる。
【００２２】
なお、車室内第二熱交換器での熱交換により温められた冷媒液は、冷媒液配管を通って車室外第二熱交換器で冷却されることで、除湿部だけで、空調部から独立した冷凍サイクルを構成することができる。
【００２３】
そして、除湿部は、空調部から独立した別系統であるため、冷媒を用いた空調部の制御に対する影響を排除することができる。
【００２４】
したがって、空調部の制御を設計し直す必要がなく、既存の空調部に除湿部を容易に追加的に設置することもできる。
【００２５】
また、除湿部の系を循環する冷媒液は、摂氏０度以下の所定温度まで凍ることがないため、車室内を暖房する状況において、車室外の気温が摂氏０度以下であっても、除湿部の系内で冷媒液の循環が滞ることがなく、除湿部の系を適切に機能させることができる。
【００２６】
特に、車室外の気温が非常に低い場合、例えば、摂氏−２０度以下の場合に、乗員が車室内で快適に過ごすには暖房で車室内を暖める必要があり、このとき、内気循環モードで暖房を継続すると、車室内の湿度が高くなって窓ガラス等が結露で曇るが、除湿部による除湿が行われることで、車室内の湿度が低下するため、窓ガラスでの結露が生じにくくなり、窓曇りを解消乃至防止することができる。
【００２７】
なお、この除湿部の系を循環する冷媒液としては、例えばエンジン用の不凍液である、エチレングリコールなどを主成分とするＬＬＣ（ロングライフクーラント）などを適用することができる。
【００２８】
本発明に係る車両用空調装置においては、前記車室外第二熱交換器は、前記車室外第一熱交換器に吹き付けられる空気の流路のうち、前記車室外第一熱交換器よりも上流部分に配置されることが好ましい。
【００２９】
車室内第二熱交換器で温められた冷媒液は、冷媒液配管を通じて車室外第二熱交換器に流入し、この車室外第二熱交換器に吹き付ける車室外の空気との間で熱交換が行われ、この空気を暖めることになる。
【００３０】
一方、車室外第一熱交換器は車室外に配置されているため、車室外の気温が低いときは寒冷下に置かれることになり、しかも暖房時には、車室外第一熱交換器はエバポレータ（蒸発器）として機能するため、車室外第一熱交換器の周囲の空気から熱を奪って霜が付着することになる。
【００３１】
しかし、本発明の好ましい車両用空調装置によれば、車室外第二熱交換器が、車室外第一熱交換器に吹き付けられる空気の流路のうち車室外第一熱交換器よりも上流部分に配置されるため、車室外第一熱交換器には、車室外第二熱交換器で温められた空気が吹き付けることとなり、車室外第一熱交換器に霜が付着するのを防止乃至低減することができる。
【００３２】
したがって、この効果を一層高めるために、車室外第二熱交換器を車室外第一熱交換器に近接して配置するのが、より好ましい。
【００３３】
本発明に係る車両用空調装置においては、前記冷媒液は、摂氏−２０度以下の温度まで不凍に調整された、不凍液が混合された液体であることが好ましい。
【００３４】
このように好ましい構成の本発明に係る車両用空調装置によれば、摂氏−２０度以下の温度まで不凍に調整された不凍液が混合された液体としては、車両用エンジンの冷却液として、従前より広く普及しているものであるため、低コストで、かつ入手も容易である。
【００３５】
本発明に係る車両用空調装置においては、前記ポンプは、前記空調部が前記車室内を暖房する動作に切り替えられている状態で、かつ前記車室内の空気を循環する内気循環モードで動作されているときにのみ、前記冷媒液を循環させるように設定されていることが好ましい。
【００３６】
空調部が車室内を暖房する動作に切り替えられているとともに、車室内の空気を循環する内気循環モードで動作されているときは、車室内の湿度が上がり易い状況にある。
【００３７】
一方、空調部が外気導入モードで暖房運転しているときは、車室内の空気が外気と常に入れ替えられているため、内気循環モードの運転しているときよりも、車室内の湿度は低下し、窓曇りも起きにくい。
【００３８】
同様に、空調部が車室内を冷房する動作に切り替えられているとき（車室外の気温が寒冷の状態で車室内を冷房する動作が選択される可能性は、極めて少ないと考えられる。）は、車室内第一熱交換器が除湿機能を発揮するため、車室内の湿度は上がりにくく、窓曇りも起きにくい。
【００３９】
以上より、好ましい構成の本発明に係る車両用空調装置によれば、空調部が車室内を暖房する動作に切り替えられているとともに、車室内の空気を循環する内気循環モードで動作されているときにのみ、ポンプを動作させて冷媒液を循環させることで、窓曇りが生じにくい他の状況下（外気導入モードまたは空調部による冷房乃至除湿運転のとき）でのポンプの駆動を停止して、省電力を図ることができる。
【発明の効果】
【００４０】
本発明に係る車両用空調装置によれば、冷媒を用いた空調部の制御に対する影響を排除するとともに、この空調部で暖房を行いつつ除湿を行うことができる。
【発明を実施するための最良の形態】
【００４１】
以下、本発明に係る車両用空調装置の最良の実施形態について、図面を参照して説明する。
【００４２】
図１，２は、本発明の一実施形態に係る車両用空調装置１００を示す模式図である。図示の車両用空調装置１００（以下、単に空調装置１００という。）は、冷媒ガス１６乃至液状冷媒１６（以下、単に冷媒１６という場合もある。）の循環の向きを切り替えることで、車両の車室内を冷房する状態（図１；冷凍サイクル）と暖房する状態（図２；ヒートポンプサイクル）とを切替え可能とされた空調部１０と、この空調部１０から独立した別系統の除湿部５０とを備えた構成である。
【００４３】
ここで、空調部１０は、車両の車室外に配置されるコンデンサ１２（車室外第一熱交換器）と、車室内に配置されるエバポレータ１４（車室内第一熱交換器）と、冷媒ガス１６を圧縮するコンプレッサ１１（気体圧縮機）と、冷媒ガス１６が液化した液状冷媒１６を減圧する膨張弁１３と、これらコンプレッサ１１、コンデンサ１２、膨張弁１３およびエバポレータ１４に冷媒ガス１６乃至液状冷媒１６を循環させる通路となる配管１７と、車室内を冷房する状態と暖房する状態ときとで冷媒ガス１６乃至液状冷媒１６の循環の向きを切り替える四方弁１５（切替器）とを有する構成である。
【００４４】
これら空調部１０のうち、エバポレータ１４は、車両の空調用ダクト２２の内部に配置されていて、ブロア２１によって生成され空調用ダクト２２内を白抜き矢印の方向に流れる空気（送風）Ａ２を吹き付けられ、この空気Ａ２との間で熱交換が行われ、熱交換後の空気Ａ２が、ダクト２２の出口部などに設けられた開口を介して車室内に送風されて、車室内を冷房または暖房する。
【００４５】
なお、上述したコンデンサ１２、エバポレータ１４という名称は、空調部１０が車室内を冷房する冷凍サイクル（図１）で動作するときの機能に基づく名称であり、空調部１０が車室内を暖房するヒートポンプサイクル（図２）で動作するときは、コンデンサ１２はエバポレータとして、エバポレータ１４はコンデンサとして、それぞれ機能する熱交換器である。
【００４６】
すなわち、四方弁１５が、図１に示すように、コンプレッサ１１の高圧（冷媒ガス１６の吐出）側とコンデンサ１２とを連結するように切り替えられているときは、冷媒１６は、コンプレッサ１１→コンデンサ１２→膨張弁１３→エバポレータ１４→コンプレッサ１１の順となって、車室内は冷凍サイクルにより冷房される状態となる。
【００４７】
一方、四方弁１５が、図２に示すように、コンプレッサ１１の高圧（冷媒ガス１６の吐出）側とエバポレータ１４とを連結するように切り替えられているときは、冷媒１６は、コンプレッサ１１→エバポレータ１４→膨張弁１３→コンデンサ１２→コンプレッサ１１の順となって、車室内はヒートポンプサイクルによって暖房される状態となる。
【００４８】
このように車室内の暖房時には、コンデンサ１２は冷房時の蒸発器として機能し、エバポレータ１４は冷房時の凝縮器として機能する。
【００４９】
また、除湿部５０は、エバポレータ１４に吹き付けられる空気Ａ２の流路(ダクト２２の内部での流路）のうち、エバポレータ１４よりも上流部分に配置されるクーラーコア５１（車室内第二熱交換器）と、車室外に配置される除湿用室外器５２（車室外第二熱交換器）と、除湿用室外器５２およびクーラーコア５１に、摂氏０度以下の所定温度まで不凍の冷媒液５５を循環させる通路となる冷媒液配管５３と、冷媒液配管５３のうち一方の配管５３ａの通路上の一部に設けられて、冷媒液５５を循環させるポンプ５４とを有している。
【００５０】
ここで、本実施形態の空調装置１００においては、冷媒液５５として、摂氏−２０度以下の温度まで不凍に調整された、不凍液（例えば、エチレングリコールなどを主成分とするロングライフクーラント）が混合された液体（エンジン用の冷却水など）が適用されたものであるが、本発明の車両用空調装置においては、そのような液体に限定されるものではなく、摂氏０度以下の所定温度まで不凍の冷媒液であれば、その他の種々の冷媒液を適用することができる。
【００５１】
また、除湿用室外器５２は、コンデンサ１２に吹き付けられる空気Ａ１（車両の走行に伴って吹き付けられる気流）の流路のうち、コンデンサ１２よりも上流部分に配置されている。
【００５２】
しかも、この除湿用室外器５２は、コンデンサ１２に近接して配置されている。
【００５３】
また、ポンプ５４は、空調部１０が車室内を暖房する動作に切り替えられている状態で、かつ車室内の空気を循環する内気循環モードで動作されているときにのみ、冷媒液５５を循環させるように設定されており、その他の状態のときは作動しないように設定されている。
【００５４】
なお、内気循環モードが選択されている状態であるか、または外気導入モードが選択されている状態であるかの区別は、これらのうちいずれかを選択する操作が入力されるモード選択ボタンの状態（内気循環モードが選択されている状態、または外気導入モードが選択されている状態）を検出することで、設定可能である。また、モード選択ボタンの状態を直接検出するのではなく、その状態を表す信号が、図示を略した制御装置に入力されている構成の空調装置１００にあっては、その制御装置に入力されている当該信号に基づいて設定することもできる。
【００５５】
次に、本実施形態の空調装置１００の作用について説明する。
【００５６】
まず、車室内を冷房する場合は、冷媒１６の循環の向きが、コンプレッサ１１→コンデンサ１２→膨張弁１３→エバポレータ１４→コンプレッサ１１の順となるように、四方弁１５が切り替えられ、これにより、エバポレータ１４において、低温・低圧の液状冷媒１６とブロア２１から吹き出された空気Ａ２との間で熱交換が行われ、車室内には、このエバポレータ１４で冷やされた空気Ａ２が吹き出されて、車室内が冷房される。
【００５７】
このとき、除湿部５０のポンプ５４は作動していないため、クーラコア５１内の冷媒液５５は、吹き付けられる空気Ａ１に対して、熱的に何ら仕事をしない。
【００５８】
なお、空調部１０が、車室内を冷房する状態のときに、ポンプ５４を作動させる構成を採用してもよいが、車室内を冷房する状態にあっては車室外の温度が高い状態である場合が多く、そのような場合には、車両停止時において、除湿用室外器５２に空気Ａ１が吹き付けないため、除湿用室外器５２内の冷媒液５５の温度は車室外気温と平衡するまで上昇する。
【００５９】
そして、ポンプ５４が作動すると、そのように温度が上昇した冷媒液５５は、クーラコア５１に流れ込むため、このクーラコア５１に吹き付ける空気Ａ２を暖める可能性が高く、車室内を冷房する作用に反する虞がある。
【００６０】
しかし、本実施形態のように、ポンプ５４を、空調部１０が車室内を暖房する動作に切り替えられている状態で、かつ車室内の空気を循環する内気循環モードで動作されているときにのみ、冷媒液５５を循環させるように設定した構成では、このような虞が回避されるため、車室内を快適に冷房することができるとともに、省動力を図ることができる。
【００６１】
ただし、車両が走行している場合には、除湿用室外器５２に空気Ａ１が吹き付けるため、除湿用室外器５２内の冷媒液５５の温度は車外気温よりも低くなるため、この場合には、ポンプ５４が作動させても、車外気温よりも低い温度の冷媒液５５がクーラコア５１に流れ込むため、このクーラコア５１に吹き付ける空気Ａ２を僅かながらでも冷やす効果が認められ、車室内を冷房する作用を補助することができる。よって、車室内を冷房する場合であっても、ポンプ５４を作動させるようにしてもよい。この場合、すなわち、車室内を冷房している状態のときは、車両が走行している（除湿用室外器５２に空気Ａ１が吹き付けている）ことを検出した場合にのみ、ポンプ５４を作動させるのが好ましい。
【００６２】
次に、車室内を暖房する場合は、冷媒１６の循環の向きが、コンプレッサ１１→エバポレータ１４→膨張弁１３→コンデンサ１２→コンプレッサ１１の順となるように、四方弁１５が切り替えられ、これにより、エバポレータ１４において、高温・高圧の冷媒ガス１６とブロア２１から吹き出された空気Ａ２との間で熱交換が行われ、車室内には、このエバポレータ１４で暖められた空気Ａ２が吹き出されて、車室内が暖房される。
【００６３】
このとき、内気循環モードが選択されていると、ブロア２１から吹き出される空気Ａ２は車室内の暖められた空気であるため、車外気温よりも高い温度となっている。
【００６４】
一方、除湿部５０の除湿用室外器５２は車室外に配置されているため、車室内よりも低い温度となっている。
【００６５】
そして、車室内は空調部１０により、暖房を行う運転状態で、かつ内気循環モードとされているため、除湿部５０のポンプ５４が作動し、これにより、除湿用室外器５２で冷却された冷媒液５５は、冷媒液配管５３ａを通って、クーラコア５１に流入する。
【００６６】
ここで、ブロア２１から吹き出された空気Ａ２は、空調部１０のエバポレータ１４に吹き付けるよりも上流側で、クーラコア５１に吹き付けることになる。
【００６７】
ブロア２１から吹き出される空気Ａ２の温度は、内気循環モードでは、車室内の温度と大差はないため、クーラコア５１の内部の冷媒液５５より温度が高く、したがって、クーラコア５１に吹き付ける空気Ａ２は、クーラコア５１の内部の冷媒液５５との間での熱交換により冷却されるとともに、クーラコア５１で除湿される。
【００６８】
そして、このクーラコア５１で除湿された後の空気Ａ２が、クーラコア５１よりも下流側に配置されているエバポレータ１４により暖められ、車室内は除湿されつつ暖房される。
【００６９】
よって、車室内の湿度が車室外に比べて大幅に高くなるのが防止されて、窓を閉め切った車室内であっても、窓曇りを防止することができる。
【００７０】
なお、クーラコア５１で空気Ａ２と熱交換されて暖められた冷媒液５５は、冷媒液配管５３ｂを通って除湿用室外器５２に戻され、この除湿用室外器５２に吹き付ける車室外の空気Ａ１との間で熱交換されて冷やされ、この除湿部５０は空調部１０から完全に独立した冷凍サイクルで構成されている。
【００７１】
そして、除湿部５０は、空調部１０から独立した別系統であるため、冷媒１６を用いた空調部１０の制御（車室内の温度制御等）に対する影響を排除することができる。
【００７２】
したがって、空調部１０の制御を設計し直す必要がなく、既存の空調部１０に除湿部５０を容易に追加的に設置することもできる。
【００７３】
また、除湿部５０の系を循環する冷媒液５５は、摂氏０度以下の所定温度まで凍ることがないため、車室内を暖房する状況において、車室外の気温が摂氏０度以下であっても、除湿部５０の系内で冷媒液５５の循環が滞ることがなく、除湿部５０の系を適切に機能させることができる。
【００７４】
特に、本実施形態における除湿部５０の冷媒液５５は、摂氏−２０度以下の温度まで不凍に調整された、不凍液が混合された液体であるため、車室外の気温が非常に低い場合、例えば、摂氏−２０度以下の寒冷地などにおいても、除湿部５０を適正に作動させることができる。
【００７５】
そして、このような寒冷地において乗員が車室内で快適に過ごすためには、暖房で車室内を暖める必要があり、このとき、内気循環モードで暖房を継続すると、車室内の湿度が高くなって窓ガラス等が曇るが、除湿部５０による除湿が行われることで、車室内の湿度が低下するため、窓ガラスでの結露が生じにくくなり、窓曇りを解消乃至防止することができる。
【００７６】
なお、車室内を暖房する場合であっても、内気循環モードではなく外気導入モードのときは、ポンプ５４は作動しない。外気導入モードのときは、車室内の空気は常に車室外の空気と入れ替えられているため、車室内の空気の湿度が車室外の空気の湿度よりも大幅に高くなることがなく、したがって、車室内の窓曇りは生じにくい。
【００７７】
よって、このような窓曇りの生じにくい状況下で、ポンプ５４を作動させないことにより、省動力を図ることができる。
【００７８】
以上の通り、本実施形態に係る車両用空調装置１００によれば、冷媒１６を用いた空調部１０の制御に対する影響を排除するとともに、この空調部１０で暖房を行いつつ除湿を行うことができる。
【００７９】
また、本実施形態の車両用空調装置１００における除湿用室外器５２は、コンデンサ１２に吹き付けられる空気Ａ１の流路のうち、コンデンサ１２よりも上流部分に配置されているため、コンデンサ１２に霜が付着するのを防止乃至抑制することができる。
【００８０】
すなわち、クーラコア５１で温められた冷媒液５５は、冷媒液配管５３ｂを通じて除湿用室外器５２に流入し、この除湿用室外器５２に吹き付ける車室外の空気Ａ１との間で熱交換が行われ、この空気Ａ１を暖めることになる。
【００８１】
一方、空調部１０のコンデンサ１２は車室外に配置されているため、車室外の気温が低いときは寒冷下に置かれることになり、しかも車室内の暖房時には、コンデンサ１２は蒸発器として機能するため、コンデンサ１２の周囲の空気Ａ１から熱を奪うことで、空気Ａ１に含まれている蒸気が液化し、この液化した蒸気（水）は、寒冷の車外気温により、凍結して霜となり、この霜はコンデンサ１２に付着し、熱交換効率の低下を招く。
【００８２】
しかし、本実施形態の車両用空調装置１００によれば、除湿用室外器５２が、コンデンサ１２に吹き付けられる空気Ａ１の流路のうちコンデンサ１２よりも上流部分に配置されるため、コンデンサ１２には、除湿用室外器５２で温められた空気Ａ１が吹き付けることとなり、コンデンサ１２に霜が付着するのを防止することができる。
【００８３】
さらに、除湿用室外器５２は、コンデンサ１２に近接して配置されているため、除湿用室外器５２で温められた空気Ａ１は、その近接されたコンデンサ１２に吹き付けるため、除湿用室外器５２がコンデンサ１２から遠く離れて配置されている構成よりも、コンデンサ１２への除霜効果を一層高めることができる。
【００８４】
なお、コンデンサ１２と除湿用室外器５２との配置の関係は、この空調装置１００が搭載される車両の種別に応じて、例えば図３（ａ），（ｂ），（ｃ）のいずれかを採用すればよい。
【００８５】
すなわち、図３（ａ）は、一般的なエンジンを有する車両に搭載される場合の構成であり、熱交換器は、車室外の空気Ａ１の流れの上流側から、除湿用室外器５２、空調部１０のコンデンサ１２、エンジン冷却用のラジエータ１１０の順に配置されている。
【００８６】
また、同図（ｂ）は、動力源としてエンジンと電気とを併用した、いわゆるハイブリッド車に搭載される場合の構成である。
【００８７】
ハイブリッド車は、エンジンからの発熱が一般の（ハイブリッド車ではない）エンジン搭載車両のものよりも小さいため、ラジエータ１１０もそれに応じて小さく、同図（ｂ）に示すように、ラジエータ１１０はコンデンサの上方位置に並列配置される。
【００８８】
そして、これらの熱交換器は、車室外の空気Ａ１の流れの上流側から、除湿用室外器５２、空調部１０のコンデンサ１２の順に配置されている。
【００８９】
さらに、同図（ｃ）は、動力源が電気のみである、いわゆる電気自動車や燃料電池車に搭載される場合の構成である。
【００９０】
これらの電気自動車や燃料電池車は、エンジンを備えていないため、エンジンを冷却するためのラジエータ１１０は備えられていない。したがって、熱交換器は、車室外の空気Ａ１の流れの上流側から、除湿用室外器５２、空調部１０のコンデンサ１２の順に配置されている。
【図面の簡単な説明】
【００９１】
【図１】本発明の一実施形態に係る車両用空調装置を示す模式図（車室内を冷房する状態）である。
【図２】本発明の一実施形態に係る車両用空調装置を示す模式図（車室内を暖房する状態）である。
【図３】図１，２に示した空調装置の除湿用室外器と空調部のコンデンサとの配置を示す模式図であり、（ａ）は一般的なエンジン搭載車、（ｂ）はハイブリッド車、（ｃ）は電気自動車や燃料電池車におけるものををそれぞれ表す。
【符号の説明】
【００９２】
１０    空調部
１１    コンプレッサ（気体圧縮機）
１２    コンデンサ（車室外第一熱交換器）
１３    膨張弁
１４    エバポレータ（車室内第一熱交換器）
１５    四方弁（切替器）
１６    冷媒（冷媒ガス、液状冷媒）
１７    配管
５０    除湿部
５１    クーラーコア（車室内第二熱交換器）
５２    除湿用室外器（車室外第二熱交換器）
５３，５３ａ，５３ｂ  冷媒液配管
５４    ポンプ
５５    冷媒液
１００  車両用空調装置
Ａ１，Ａ２  空気
【図１】
2010047087.tif 000003
【図２】
2010047087.tif 000004
【図３】
2010047087.tif 000005